【手続補正書】
【提出日】平成17年7月15日(2005.7.15)
【手続補正１】
【補正対象書類名】明細書
【補正対象項目名】特許請求の範囲
【補正方法】変更
【補正の内容】
【特許請求の範囲】
【請求項１】  ＣＤＭＡ通信システム（１０）であって、
時間で重複する直交符号信号（Ｓ１１、Ｓ１２）で送信する複数の送信機（１１、１２）を有し、それぞれの送信機が一組の相互直交符号化シーケンスの乗数因子の異なるものを適用するように動作可能で、
それぞれのシーケンスが均一な長さで、
前記直交符号信号が、情報記号の連続繰り返しブロックを含み、
それぞれの送信機の直交符号化シーケンスにより、前記連続繰り返しブロックがそれぞれの因子によって乗じられ、
おのおのの情報ブロックの連続する繰り返しの数がおのおのの直交シーケンスの長さと等しく、
直交符号化情報信号を受信しデコードする受信機（１４）を備えるシステム。
【請求項２】  請求項１記載の通信システムであって、
前記送信機（１１、１２）のおのおのが、
直交符号を発生する発生器（２４）と、
発生された直交符号に応答して、位相変化の対応するシーケンスを繰り返された情報ブロックに課す応答器（２６、１８）と
を有するシステム。
【請求項３】  請求項２記載の通信システムであって、
発生された直交コードに応じて、前記応答器が選択的に１８０度位相変化を繰り返された情報ブロックに課すシステム。
【請求項４】  請求項３記載の通信システムであって、
前記発生器が、前記送信機が前記繰り返された情報ブロックを送信する回数に等しいビット数を有するウォルシュ−アダマールコードを記憶するメモリーを有するシステム。
【請求項５】  請求項１記載の通信システムであって、
前記受信機（１４）が、
前記コード化送信信号から、前記直交コード化を除去する直交コード除去装置（５６、５０）と、
前記複数の送信機の１つから連続して受信された反復ブロック内の前記記号の対応するものを、前記直交コード化が前記直交コード除去装置（５６、５０）により除去された後に加算して、前記反復ブロック内のそれぞれの記号のための加算信号を形成する加算器（５８）と、
を有する通信システム。
【請求項６】  請求項５記載の通信システムであって、
前記情報ブロックが、予選択された反復周期を与える予選択されたブロック反復速度で送信され、
前記加算器が、前記反復周期に等しい量だけ互いに分離されている連続する反復ブロック内の対応する記号を加算する、
通信システム。
【請求項７】  前記送信機のそれぞれが、
複数の前記異なる直交コードの関連する１つに従って送信される時に前記反復ブロックに移相を選択的に課する直交エンコーダ（２０）を含み、
前記受信機（１４）が、前記複数の送信機（１１、１２）のそれぞれから受信した前記反復ブロックのそれぞれを、前記加算器（５８）へ印加される前にデコードされる、前記複数の異なる直交コードの前記関連する１つに従って除去するブロック除去装置（５６、５０）を含む、
請求項５又は請求項６に記載の通信システム。
【請求項８】  前記受信機が、多重経路伝搬格効果を補償するために前記加算器（５６）からの前記加算信号を処理する等化器（６０）を含む、請求項５又は請求項６又は請求項７に記載の通信システム。
【請求項９】  前記複数の送信機（１１、１２）のそれぞれが、情報のディジタルビットとして前記記号を発生するディジタルソースエンコーダ（３０）を有し、
かつ、前記複数の送信機のそれぞれが
前記ディジタルソースエンコーダ（３０）が発生した情報のそれぞれのビットを予選択された回数だけ反復し、反復ビットのグループを連続的に発生するリピータ（２２）と、
前記送信機に関連する直交コードに従って、それぞれのグループ内の前記予選択されたビットの数に等しい数の反復ビットの連続グループのそれぞれの、前記反復ビットに選択的に符号変化を課する符号変化器（２６）と、
前記予選択された数の反復グループの、異なる符号変化を受けたビットからそれぞれが構成されるいくつかのブロックであって、該ブロックの全ての符号変化されたビットが共有する共通の符号変化に対応する集団的符号変化を有する前記ブロックを連続して発生するために、前記予選択された数のグループからの前記符号変化されたビットをインタリーブするためのインタリーバ（１８）と、
前記直交コードに対応する符号変化を有する前記発生ブロックに従って変調された信号を送信するための信号変調器（３３）と、
を含む、請求項１に記載の通信システム。
【請求項１０】  前記送信機（１１、１２）のそれぞれが、前記ディジタルソースエンコーダ（３０）からの前記情報のディジタルビットのそれぞれに、エラー補正コード化を課するエラー補正エンコーダ（３２）を含む、請求項９に記載の通信システム。
【請求項１１】  前記送信機（１１、１２）のそれぞれが、
前記ディジタルソースエンコーダ（３０）が情報のディジタルビットを発生する速度で、アクセスコードシーケンスを発生するアクセスコード発生器（４０）と、
前記アクセスコードを、前記直交コード化ブロックのそれぞれの、個々のディジタルビットに課するアクセスコード賦課器（３７）と、
を含む、請求項９に記載の通信システム。
【請求項１２】  前記受信機が、該受信機において受信された情報の個々のディジタルビットをデコードするアクセスコードデコーダ（４８、５６）を含む、請求項１１に記載の通信システム。
【請求項１３】  前記デコーダ（４８、５６）が、前記ブロックを個々のディジタルビットに分離するデインタリーバ（ｄｅｉｎｔｅｒｌｅａｖｅｒ）を含む、請求項１２に記載の通信システム。
【請求項１４】  前記デインタリーバ（５６）からの個々のディジタルビットを等化する最尤等化器（６０）を含む、請求項１３に記載の通信システム。
【請求項１５】  前記受信機がエラー補正デコーダ（６４）を含む、請求項１３に記載の通信システム。
【請求項１６】  時間で重複するＣＤＭＡ直交符号信号（Ｓ１１、Ｓ１２）で通信する方法であって、
複数の情報信号（２８）のそれぞれ１個をコード化（３０、３２）し、異なる情報記号を含む対応する情報ブロックを生産するステップと、
予め定められたスペクトラム拡散因子（ｓｐｅｃｔｒｕｍ  ｓｐｒｅａｉｎｇ  ｆａｃｔｏｒ）により、予め定められた回数それぞれの情報ブロックを繰り返す（２２）ステップと、
繰り返された情報ブロックをそれぞれの乗数因子で乗じることにより前記繰り返された情報ブロックを直交符号化する（２４、２６）ステップであって、前記情報ブロックの連続する繰り返しに適用されるシーケンス因子が一組の均一長さの相互に直交符号化シーケンスの１個を形成するステップと、
直交符号化情報ブロックを受信し、デコードするステップ
とからなる方法。
【請求項１７】  情報のディジタルビットとして前記記号をコード化するステップを含み、かつ
ディジタルソースエンコーダが発生した情報のそれぞれのビットを予選択された回数だけ反復し（２２）、反復ビットのグループを連続的に発生するステップと、
直交コードに従って、それぞれのグループ内の前記予選択されたビットの数に等しい数の反復ビットの連続グループのそれぞれの、前記反復ビットに符号変化を課する（２４、２６）ステップと、
前記ブロックの全ての符号変化されたビットが共有する共通の符号変化に対応する集団的符号変化を有する、いくつかの反復グループを連続的に発生するために、前記予選択された数のグループからの前記符号変化されたビットをインタリーブする（１８）ステップと、
前記直交コードに対応する符号変化を有する前記発生ブロックに従って変調された信号（３８）を送信するステップと、
を含む、請求項１６に記載の方法。
【請求項１８】  前記直交シーケンスがウォルシュ−アダマールシーケンスである請求項１６に記載の方法。
【請求項１９】  前記直交シーケンスがフーリエシーケンスであり、前記乗数因子が位相回転を前記繰り返しブロックに適用する請求項１６に記載の方法。
【請求項２０】  前記繰り返された情報ブロックに対応する信号セグメントの位相を変化することにより前記乗数因子が適用される請求項１９に記載の方法。
【請求項２１】  位相の前記変化が１８０度である請求項２０に記載の方法。
【請求項２２】  前記符号化された情報ブロックを送信するステップが情報信号の異なる信号を結合するステップを含む請求項１６に記載の方法。
【請求項２３】  前記ディジタルソースエンコーダが情報のディジタルビットを発生する速度で、アクセスコードシーケンス（４０）を発生するステップと、
前記アクセスコードを、前記直交コード化ブロックのそれぞれの、個々のディジタルビットに課する（３７）ステップと、
を含む、請求項１７に記載の方法。
【請求項２４】  前記ブロックを、予選択された反復周期を与える予選択されたブロック反復速度で送信するステップと、
前記反復周期に等しい量だけ互いに分離されている連続する反復ブロック内の対応する記号を加算するステップと、
を含む、請求項１６に記載の方法。
【請求項２５】  複数の前記異なる直交コードの関連する１つに従って送信する時に前記反復ブロックに直交エンコーダにより移相を選択的に課するステップと、
前記複数の送信機のそれぞれから受信した前記反復ブロックのそれぞれを、前記記号の対応する１つを加算する前にデコードされる、前記送信機にそれぞれ関連する前記直交コードに従って除去するステップと、
を含む、請求項２４に記載の方法。
【請求項２６】  多重経路伝搬の改善された許容範囲を有する拡散スペクトル（ｓｐｒｅａｄ−ｓｐｅｃｔｒｕｍ）コード化信号の送信方法であって、
所定の第１の数の記号を含む記号ブロックを発生するように情報をコード化するステップと、
それぞれの記号ブロックの送信を第２の数の回数だけ反復するステップと、
一組の直交因子の１個に応じてそれぞれの乗数因子を用いて、それぞれの繰り返し記号ブロックを乗じるステップであり、前記記号ブロックの数と前記直交シークエンスの長さが等しいステップと、
前記乗じるステップに続いて前記ブロックを送信するステップと、
を含む、前記方法。
【請求項２７】  前記拡散スペクトルコード化信号が、送信の前に、拡散スペクトルアクセスコードと組合わせることにより、さらに条件づけられる、請求項２４に記載の方法。
【請求項２８】  前記拡散スペクトルアクセスコードが、異なる送信機により共通に用いられる、請求項２７に記載の方法。
【請求項２９】  前記選択された符号変化または位相変化のシーケンスが、異なる送信機において異なる、請求項２６に記載の方法。
【請求項３０】  前記直交選シーケンスが、符合変化のシーケンスである、請求項２６から請求項２９に記載の方法。
【請求項３１】  拡散スペクトルコード化信号をデコードする方法であって、
前記コード化信号を含むオーバラップした拡散スペクトル信号のいくつかの和である複合信号を受信し、かつ該複合信号をサンプリングして信号サンプルを発生するステップと、
前記オーバラップした拡散スペクトル信号の特定の１つに関連する、あらかじめ割当てられた位相変化のパターンから選択された位相変化を用い、所定数のサンプルだけ分離された、前記信号サンプルの選択されたものを組合わせて、減拡散サンプル（ｄｅｓｐｒｅａｄ  ｓａｍｐｌｅ）を発生するステップと、
等化器を用い前記減拡散サンプルを処理して、多重経路伝搬を補償するステップと、
を含む、前記方法。
【請求項３２】  前記デコードするステップが、それぞれ異なる直交コードを用い、受信したコード化信号を対応する別個のチャネルへ分離するステップを含む、請求項３１に記載の方法。
【請求項３３】  前記コード化送信信号から、前記コード化信号を除去するステップと、
反復ブロック内の前記記号の対応するものを、前記直交コード化が除去された後に加算するステップと、
を含む、請求項３２に記載の方法。
【請求項３４】  前記コード化信号を除去するステップが、
反復情報ブロック内で、それぞれの記号について加算された信号を形成するステップと、
等化器（６０）で前記加算された信号を処理するステップと、
を含む、請求項３３に記載の方法。
【請求項３５】  直交ブロックコード化を用いる通信システムにおいて用いられる送信機であって、
情報源信号の生産器（２８）と、
相互に直交コード化された、ソース信号の反復されたサンプルを表す情報ブロックを繰り返し発生する発生回路（２２）と、
直交符号シーケンスを発生する発生器（２４）と、
記憶された直交符号シーケンスに応じて、異なる情報サンプルの反復ブロックからなる出力を発生する移送器（１８、２６）であって、一組の移送変化の直交シーケンスに応じてそれぞれのブロックが乗数因子によって乗じられ、それぞれの情報ブロックの反復の数と前記直交シーケンスの長さが等しい移送器と、
直交ブロックエンコード信号を送信する変調と送信ステージ（３３）
を含む、前記送信機。
【請求項３６】  情報のディジタルビットとして前記記号を発生するディジタルソースエンコーダ（３０）を含み、
前記ディジタルソースエンコーダ（３０）が発生した情報のそれぞれのビットを予選択された回数だけ反復し、反復ビットのグループを連続的に発生するリピータ（２２）と、
前記送信機に関連する直交コードに従って、それぞれのグループ内の前記予選択されたビットの数に等しい数の反復ビットの連続グループのそれぞれの、前記反復ビットに選択的に符号変化を課する符号変化器（２６）と、
前記予選択された数の反復グループの、異なる符号変化を受けたビットからそれぞれが構成されるいくつかのブロックであって、該ブロックの全ての符号変化されたビットが共有する共通の符号変化に対応する集団的符号変化を有する前記ブロックを連続して発生するために、前記予選択された数のグループからの前記符号変化されたビットをインタリーブするためのインタリーバ（１８）と、
前記直交コードに対応する符号変化を有する前記発生ブロックに従って変調された信号を送信するための信号変調器（３３）と、
を含む、請求項３５に記載の送信機。
【請求項３７】  前記ディジタルソースエンコーダ（３０）からの前記情報のディジタルビットのそれぞれに、エラー補正コード化を課するエラー補正エンコーダ（３２）を含む、請求項３４に記載の送信機。
【請求項３８】  一組の直交シーケンスに応じてそれぞれのブロックが因子によって乗じられ、直交コード化された記号の反復ブロックを表すＣＤＭＡコード化された送信複合信号の処理に用いる受信機であって、前記ブロックの繰り返しの数とそれぞれの直交シーケンスの長さが等しく、該受信機が、コード化送信信号を受信する受信回路を有し、一組の直交コード化シーケンスの対応する１個を適用することにより前記送信信号をデコード化し前記複合信号から記号ブロックを取り出す、前記受信機。
【請求項３９】  前記コード化送信信号から、前記直交コード化を除去する直交コード除去装置（５０）と、
連続して受信された反復ブロック内の前記記号の対応するものを、前記直交コード化が前記直交コード除去装置により除去された後に加算して、前記反復ブロック内のそれぞれの記号のための加算信号を形成する加算器（５８）と、
を含む、請求項３８に記載の受信機。
【請求項４０】  前記ブロックが、予選択された反復周期を与える予選択されたブロック反復速度で送信され、
前記加算器（５８）が、前記反復周期に等しい量だけ互いに分離されている連続する反復ブロック内の対応する記号を加算するように動作可能である、
請求項３９に記載の受信機。